【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
第１のデータベースに登録されている複数のサービス情報のそれぞれを、ネットワークを介した第１の情報提供サービスとして公開する第１のサービス情報公開手段と、
第２のデータベースに登録されている複数のサービス情報のそれぞれを、ネットワークを介した第２の情報提供サービスとして公開する第２のサービス情報公開手段と、
前記第１のデータベースに登録されているサービス情報であって前記第２の情報提供サービスでも公開されるように前記第２のデータベースへの登録候補として前記第２の情報提供サービスに情報提供されたことのあるサービス情報を表示させる際に、当該サービス情報に基づいて前記第２の情報提供サービスで公開されることになったサービス情報を前記情報提供されたことのあるサービス情報と比較可能に表示させる、ための操作ボタンを表示させる表示制御手段と、
を備えたことを特徴とするサービス情報公開システム。
【請求項２】
前記サービス情報は、複数の項目からなり、
前記操作ボタンを操作すると、前記第１のデータベースに登録されているサービス情報であって前記第２の情報提供サービスでも公開されるように前記第２のデータベースへの登録候補として前記第２の情報提供サービスに情報提供されたことのある第１のサービス情報と、当該サービス情報に基づいて前記第２の情報提供サービスで公開されることになった第２のサービス情報とを比較可能に表示される比較表示画面が表示される
ことを特徴とする請求項１に記載のサービス情報公開システム。
【請求項３】
複数の項目からなるサービス情報が新規登録される第１のデータベースに登録されている複数の第１のサービス情報のそれぞれを、ネットワークを介した前記サービス情報の登録者が提供する第１の情報提供サービスとして公開する第１のサービス情報公開手段と、
前記第１のサービス情報が追加登録される第２のデータベースに登録されている複数の第２のサービス情報のそれぞれを、ネットワークを介した前記サービス情報のポータルサイトが提供する第２の情報提供サービスとして公開する第２のサービス情報公開手段と、
前記第１のデータベースに登録されている前記第１のサービス情報であって前記第２の情報提供サービスでも公開されるように前記第２のデータベースへの登録候補として前記第２の情報提供サービスに情報提供されたことのある前記第１のサービス情報を表示させる際に、当該サービス情報に基づいて前記第２の情報提供サービスで公開されることになった前記第２のサービス情報を前記情報提供されたことのある前記第１のサービス情報と比較可能に表示される比較表示画面を表示させる、ための操作ボタンを表示させる表示制御手段と、
を備えたことを特徴とするサービス情報公開システム。
【請求項４】
複数の項目からなるサービス情報が新規登録される第１のデータベースに登録されている複数の第１のサービス情報のそれぞれを、ネットワークを介した前記サービス情報の登録者が提供する第１の情報提供サービスとして公開する第１のサービス情報公開手段と、
前記第１のサービス情報が追加登録される第２のデータベースに登録されている複数の第２のサービス情報のそれぞれを、ネットワークを介した前記サービス情報のポータルサイトが提供する第２の情報提供サービスとして公開する第２のサービス情報公開手段と、
前記第１のデータベースに登録されている前記第１のサービス情報であって前記第２の情報提供サービスでも公開されるように前記第２のデータベースへの登録候補として前記第２の情報提供サービスに情報提供されたことのある前記第１のサービス情報を表示させる際に、当該サービス情報に基づいて前記第２の情報提供サービスで公開されることになった前記第２のサービス情報をユーザからの所定の操作に基づいて前記情報提供されたことのある前記第１のサービス情報と比較可能に表示される比較表示画面を表示させる表示制御手段と、
を備えたことを特徴とするサービス情報公開システム。
【請求項５】
前記比較表示画面は、
前記第１のサービス情報と前記第２のサービス情報とが横に並ぶように表示され、
前記第１のサービス情報の前記項目は、前記第２のサービス情報の同じ前記項目の表示順と同じになるように並び替えられて表示され、
前記第１のサービス情報の前記項目と前記第２のサービス情報の同じ前記項目とが横に並ぶように表示される
ことを特徴とする請求項２〜４の何れか１項に記載のサービス情報公開システム。
【請求項６】
前記比較表示画面は、
前記第１のサービス情報と前記第２のサービス情報とが横に並ぶように表示され、
前記第２のサービス情報の前記項目は、前記第１のサービス情報の同じ前記項目の表示順と同じになるように並び替えられて表示され、
前記第２のサービス情報の前記項目と前記第１のサービス情報の同じ前記項目とが横に並ぶように表示される
ことを特徴とする請求項２〜４の何れか１項に記載のサービス情報公開システム。
【請求項７】
前記比較表示画面は、
前記第１のサービス情報と前記第２のサービス情報とが縦に並ぶように表示され、
前記第１のサービス情報の前記項目は、前記第２のサービス情報の同じ前記項目の表示順と同じになるように並び替えられて表示され、
前記第１のサービス情報または前記第２のサービス情報のうち一方のサービス情報の表示領域に付随するスクロールバーが操作されて前記表示領域に表示される前記項目が変化したときに、他方の表示領域に表示される前記項目が同じである
ことを特徴とする請求項２〜４の何れか１項に記載のサービス情報公開システム。
【請求項８】
前記比較表示画面は、
前記第１のサービス情報と前記第２のサービス情報とが縦に並ぶように表示され、
前記第２のサービス情報の前記項目は、前記第１のサービス情報の同じ前記項目の表示順と同じになるように並び替えられて表示され、
前記第１のサービス情報または前記第２のサービス情報のうち一方のサービス情報の表示領域に付随するスクロールバーが操作されて前記表示領域に表示される前記項目が変化したときに、他方の表示領域に表示される前記項目が同じである
ことを特徴とする請求項２〜４の何れか１項に記載のサービス情報公開システム。
【請求項９】
前記比較表示画面は、
前記第１のサービス情報の前記項目の内容と前記第２のサービス情報の同じ前記項目の内容とが異なる項目について、前記第１のサービス情報の項目の表示方法を前記第１のサービス情報の他の項目と異なる形態で表示する
ことを特徴とする請求項２〜４の何れか１項に記載のサービス情報公開システム。
【請求項１０】
前記比較表示画面は、
前記第１のサービス情報の前記項目の内容と前記第２のサービス情報の同じ前記項目の内容とが異なる項目について、前記第２のサービス情報の項目の表示方法を前記第２のサービス情報の他の項目と異なる形態で表示する
ことを特徴とする請求項２〜４の何れか１項に記載のサービス情報公開システム。
【請求項１１】
前記異なる形態は、
前記項目の欄の枠を太くする、前記項目の欄の色を異なる色にする、前記項目の文字を太くする、前記項目の文字の色を異なる色にする、前記項目の文字のフォントを異なるフォントにする、前記項目の文字を斜体にする、または、前記項目の文字に下線を引く
ことを特徴とする請求項９または１０に記載のサービス情報公開システム。
【請求項１２】
複数の項目からなるサービス情報が新規登録される第１のデータベースに登録されている複数の第１のサービス情報のそれぞれを、ネットワークを介した前記サービス情報の登録者が提供する第１の情報提供サービスとして公開する第１のサービス情報公開手段と、
前記第１のサービス情報が追加登録される第２のデータベースに登録されている複数の第２のサービス情報のそれぞれを、ネットワークを介した前記サービス情報のポータルサイトが提供する第２の情報提供サービスとして公開する第２のサービス情報公開手段と、
前記第１のデータベースに登録されている前記第１のサービス情報であって前記第２の情報提供サービスでも公開されるように前記第２のデータベースへの登録候補として前記第２の情報提供サービスに情報提供されたことのある前記第１のサービス情報を表示させる際に、当該サービス情報に基づいて前記第２の情報提供サービスで公開されることになった前記第２のサービス情報の前記第２の情報提供サービスでの取り扱い状態を表示させる、ための操作ボタンを表示させる表示制御手段と、
を備えたことを特徴とするサービス情報公開システム。
【請求項１３】
ネットワークに接続されたコンピュータを、
第１のデータベースに登録されている複数の第１のサービス情報のそれぞれを、ネットワークを介した第１の情報提供サービスとして公開する第１のサービス情報公開手段、
第２のデータベースに登録されている複数の第２のサービス情報のそれぞれを、ネットワークを介した第２の情報提供サービスとして公開する第２のサービス情報公開手段、
前記第１のデータベースに登録されている前記第１のサービス情報であって前記第２の情報提供サービスでも公開されるように前記第２のデータベースへの登録候補として前記第２の情報提供サービスに情報提供されたことのある前記第１のサービス情報を表示させる際に、当該サービス情報に基づいて前記第２の情報提供サービスで公開されることになった前記第２のサービス情報を前記情報提供されたことのある前記第１のサービス情報と比較可能に表示される比較表示画面を表示させる、ための操作ボタンを表示させる表示制御手段、
として機能させるためのサービス情報公開プログラム。
【請求項１４】
ネットワークに接続されたコンピュータを、
複数の項目からなるサービス情報が新規登録される第１のデータベースに登録されている複数の第１のサービス情報のそれぞれを、ネットワークを介した前記サービス情報の登録者が提供する第１の情報提供サービスとして公開する第１のサービス情報公開手段、
前記第１のサービス情報が追加登録される第２のデータベースに登録されている複数の第２のサービス情報のそれぞれを、ネットワークを介した前記サービス情報のポータルサイトが提供する第２の情報提供サービスとして公開する第２のサービス情報公開手段、
前記第１のデータベースに登録されている前記第１のサービス情報であって前記第２の情報提供サービスでも公開されるように前記第２のデータベースへの登録候補として前記第２の情報提供サービスに情報提供されたことのある前記第１のサービス情報を表示させる際に、当該サービス情報に基づいて前記第２の情報提供サービスで公開されることになった前記第２のサービス情報を前記情報提供されたことのある前記第１のサービス情報と比較可能に表示される比較表示画面を表示させる、ための操作ボタンを表示させる表示制御手段、
として機能させるためのサービス情報公開プログラム。
【請求項１５】
ネットワークに接続されたコンピュータを、
複数の項目からなるサービス情報が新規登録される第１のデータベースに登録されている複数の第１のサービス情報のそれぞれを、ネットワークを介した前記サービス情報の登録者が提供する第１の情報提供サービスとして公開する第１のサービス情報公開手段、
前記第１のサービス情報が追加登録される第２のデータベースに登録されている複数の第２のサービス情報のそれぞれを、ネットワークを介した前記サービス情報のポータルサイトが提供する第２の情報提供サービスとして公開する第２のサービス情報公開手段、
前記第１のデータベースに登録されている前記第１のサービス情報であって前記第２の情報提供サービスでも公開されるように前記第２のデータベースへの登録候補として前記第２の情報提供サービスに情報提供されたことのある前記第１のサービス情報を表示させる際に、当該サービス情報に基づいて前記第２の情報提供サービスで公開されることになった前記第２のサービス情報をユーザからの所定の操作に基づいて前記情報提供されたことのある前記第１のサービス情報と比較可能に表示される比較表示画面を表示させる表示制御手段、
として機能させるためのサービス情報公開プログラム。